(57)【要約】【課題】  オゾンと陰(負)イオンの特性及び機能を歯ブラシや美容ブラシに応用し、特殊な設計のブラシにより、使用者が歯磨きや肌の手入れなどを行う時に、そのブラシが同時に人体に有益な気体またはイオンを発散し、歯をきれいにすると共に歯茎細胞の再生能力を活性化したり、皮膚の衛生消毒や生活環境の掃除に用いたりすることができるブラシの提供。【解決手段】  本考案の主な構造体は腔体構造であり、該中空部分の上部に位置するブラシヘッド部に複数の発射孔を形成し、該構造体の下部に導管を軸接するための接続部を設け、気体またはイオン発生器が発生する人体に有益な気体またはイオンを該接続部に軸接した導管からブラシ内部へ導入し、ブラシヘッドの発射孔から噴出させる。【選択図】  図２
0003105542.tif 000002
【実用新案登録請求の範囲】
【請求項１】
人体に有益な気体またはイオンを発射する機能を備えたブラシであって、主にブラシ構造体は中空の腔体を呈し、該腔体上部のブラシヘッド部に複数の発射孔を設け、ブラシ構造体の下部に導管を軸接する接続部を設け、気体またはイオン発生器が発生する人体に有益な気体またはイオンが、該導管を介してブラシ内部へ導入され、使用と同時にブラシヘッドの発射孔から噴出される気体またはイオン発射機能付ブラシ。
【請求項２】
前記ブラシの空洞部に振動器を組み込み、電動マッサージと気体またはイオン発射の２つの機能を備えた、請求項１に記載の気体またはイオン発射機能付ブラシ。
【請求項３】
前記気体またはイオン発生器が、ブラシ掛けと、その内部に気体またはイオン発生ポンプを備えた殼体と、ブラシ掛け部分を覆う開閉可能な開閉カバーと、電源入力接続部を備え、使用時に電源コードを電源孔に差し込み電源を得、このとき気体またはイオン発生器が発生する気体またはイオンがポンプの加圧を受け導管とブラシ上の接続部に流入し、さらにブラシの空洞部内部へ流入して、ブラシヘッドの発射孔から発射される請求項１に記載の気体またはイオン発射機能付ブラシ。
【請求項４】
前記気体またはイオン発生器に入口と出口を設け、出口に導管を接続し、気体またはイオンをブラシに排出し、入口には別の導管を接続し鼻吸器またはニキビ吸入器の手入れに使用することができる請求項３に記載の気体またはイオン発射機能付ブラシ。
【請求項５】
前記ブラシから発射される発射物に、加温または冷却可能な液体を使用できる請求項１に記載の気体またはイオン発射機能付ブラシ。
【考案の詳細な説明】
【技術分野】
【０００１】
本考案は、人体に有益な気体またはイオンを発射する機能を備えたブラシに関し、特に、気体またはイオン発生器が発生する人体の健康に有益な気体またはイオンを、接続された導管からブラシ本体内部に導入してブラシヘッド上の発射孔から噴出させ、有益な気体またはイオンを使用と同時に発散し、且つ、ブラシ空洞部内部に振動器を組み込み、電動マッサージと気体またはイオン発射の２つの機能を備えたブラシに関する。
【背景技術】
【０００２】
オゾンO3は、自然物質に属するいかなる化学薬物の副作用もない有益な気体であり、人体に取り込まれる空気や食べ物を事前に殺菌することができ、またウイルスが人体に侵入した後でも、空気中での皮膚や呼吸による接触や、水中に溶かし皮膚や食道（飲み水）から体内に取り込むことでも殺菌の目的を達することができ、且つ呼吸または水中に溶解したものを皮膚と接触することにより毛穴から体内に取り込むことで、その高酸素含有量が各器官の代謝機能を正常にして免疫力を高め、同時に殺菌や痛み止め、消炎効果を備えており、瘡蓋の乾燥や治癒再生力を促進する効果がある。
【０００３】
また、我々が呼吸し、生存する空気中には各種の異なるイオンが存在し、即ち陽(正)イオンと陰(負)イオンであるが、このうち陰(負)イオンは空気中の水分を含む陽(正)イオンと結合して消去することができるため、除湿効果があり、且つ陰(負)イオンは微細子であり、エネルギーを有するため細菌または徽菌と結合した後、それらを殺し菌種の形成を阻むため殺菌機能がある。
【考案の開示】
【考案が解決しようとする課題】
【０００４】
本考案の主な目的は、上述のオゾンと陰(負)イオンの特性及び機能を、毎日の日常生活において朝から使用する必要がある歯ブラシや美容ブラシに応用し、特殊な設計のブラシにより、使用者が歯磨きや肌の手入れ、または掃除などの時に、そのブラシが同時に人体に有益な気体またはイオンを発散し、歯をきれいにすると共に歯茎細胞の再生能力を活性化し、且つ皮膚の衛生消毒や生活環境の掃除に用いることができるブラシを提供することにある。  
【課題を解決するための手段】
【０００５】
本考案の主な構造体は腔体構造であり、該中空部分の上部に位置するブラシヘッド部に複数の発射孔を形成し、該構造体の下部に導管を軸接するための接続部を設け、気体またはイオン発生器が発生する人体に有益な気体またはイオンを該接続部に軸接した導管からブラシ内部へ導入し、ブラシヘッドの発射孔から噴出させ、歯を清潔にしたり、歯茎細胞の再生能力を活性化したり、皮膚の衛生消毒や生活環境の掃除等に使用する。
【考案を実施するための最良の形態】
【０００６】
図１、図２、図３、図４に示すように、以下歯ブラシを本考案のブラシ構造体の実施例として説明する。ブラシ本体は中空の腔体構造であり、その内部に有益な気体またはイオンを一時的に保持する空洞部１４を備え、その外形構造はブラシヘッド１０、ブラシ柄１５の２大部位に区分できる。 
【０００７】
ブラシヘッド１０は、複数の発射孔１３を備え、該発射孔１３はブラシ毛１２の周囲またはその中心位置に  環状に設けてもよい。
【０００８】
ブラシ柄１５は、その下端部に接続部１１を備え、オゾンまたは陰(負)イオン発生器に接続された中空の導管１６が該接続部１１に接続される。
【０００９】
この構造設計により、使用時には、オゾンまたは陰(負)イオン発生器からの導管１６をブラシの接続部１１に接続し、そのオゾンまたは陰(負)イオン発生器が発生するオゾン気体または陰(負)イオンが、該導管１６を介してブラシ本体の空洞部１４内に送り込まれ該空洞部１４内に充満し、ブラシヘッド１０の発射孔１３またはブラシ毛１２根部の小穴から歯ブラシ本体の外へと発射され、ブラシ毛１２上に付着している洗浄剤や歯磨き粉、水等と溶融して混ざり、歯磨きや皮膚の洗浄、または生活環境の掃除を行うことができる。
【００１０】
図４に示すように、本考案に付属したオゾンまたは陰(負)イオンの発生器は、ブラシ掛けを備えた殼体２０と、歯ブラシ掛け部分を覆う開閉カバー２１及び電源孔２２を備え、該殼体２０内部にはオゾンまたは陰(負)イオン発生器及びポンプを設け（内部のオゾンまたは陰(負)イオン発生器の部分は従来の技術に属するため、ここでは説明を省略する）、使用時には、電源コードを電源孔２２に接続して電源を供給し、このときオゾンまたは陰(負)イオン発生器が発生するオゾン気体または陰(負)イオンがポンプによる加圧を受け、導管１６からブラシ接続部１１に流入し、さらにブラシの空洞部１４内部に流入してブラシヘッド１０の発射孔１３から発射される。予備の歯ブラシは開閉カバー２１内側のブラシ掛けに保管することができる。
【００１１】
図５に示すように、本考案はブラシ腔体内部に振動器を組み込むこともでき、有益な気体の発射と電動マッサージの２つの機能を備えたブラシを形成することもできる。
【００１２】
また、上述の有益な気体または陰(負)イオン発生器（本実施例の有益な気体はオゾンを例としている）には、入口４０と出口３０を設けてもよく、そのうち、出口３０に導管１６を接続し、オゾン気体または陰(負)イオンを歯ブラシまたは美容ブラシのヘッドから排出し、入口４０は別の導管を鼻吸器やニキビ吸引器に接続し手入れに使用してもよい。
【００１３】
また、本考案のブラシから発射する発射物は、気体またはイオンのほか、加温または冷却が可能な液体を使用してもよい。
【００１４】
以上、本考案の有益な気体またはイオンを発射するブラシについて、最良の実施例に基づき説明してきたが、本考案の技術的思想に基づき、且つ該技術を熟知した技術者が推知できる本考案の局部的な変更または修飾は、本考案の特許申請範囲に含まれる。
【００１５】
本考案の有益な気体またはイオンを発射するブラシは、人体に有益な気体またはイオンを歯ブラシまたは美容ブラシ等の保健用途に初めて応用したものであり、且つその構造設計はこれまでになく、特許申請の新規性及び創作性の条件に符合するものであるため、ここに実用新案登録を申請するものである。
【図面の簡単な説明】
【００１６】
【図１】本考案の立体外観図である。
【図２】本考案の局部立体透視図である。
【図３】本考案の側面透視図である。
【図４】本考案の使用実施例を示す立体外観図である。
【図５】本考案を電動マッサージ歯ブラシに応用した実施例を示す立体図である。
【符号の説明】
【００１７】
１０  ブラシヘッド      
１１  接続部
１２  ブラシ毛    
１３  発射孔    
１４  空洞部      
１５  ブラシ柄    
１６  導管   
２０  殼体      
２１  開閉カバー  
２２  電源孔  
３０  出口    
４０  入口
【図１】
0003105542.tif 000003
【図２】
0003105542.tif 000004
【図３】
0003105542.tif 000005
【図４】
0003105542.tif 000006
【図５】
0003105542.tif 000007